(57)【要約】      （修正有）【課題】餌針はただ単にエビ餌をつけてフグを寄せるための役割だけで無く、餌を喰いに寄ってきたフグが餌をついばんだ瞬間にその針に掛かるようにし、また掛け損じた場合でも、その下部にある掛け針に掛かる可能性を持たせた釣り用仕掛けを提供する。【解決手段】猿環１４に、掛け針に結んだ釣り糸を結びつけ、釣り竿から延出した道糸を猿環１５に結びつけた後、ハリス止め５に接続されている釣り糸６とその先に結んだ釣り針（喰わせ針）７にそれぞれエビ餌を付け、海中に投入し、海底に錘２が着底したのを確認したあと、釣り針（喰わせ針）７に喰いついたフグのアタリを見計らって竿先を上部に素早く跳ね上げて合わせ、釣り針（喰わせ針）７或いは掛け針９をフグの魚体に掛けて釣り上げられる構成とする。【選択図】図１
0003154082.tif 000002
【実用新案登録請求の範囲】
【請求項１】
仕掛け中の餌針を喰わせ針にしたことを特徴とするエビ餌用フグ仕掛け。
【請求項２】
前記の喰わせ針の釣り糸を、スプリットリングに配した複数のハリス止めによって留め、切れた際でも迅速な交換を可能にしたエビ餌用フグ仕掛け。    
【請求項３】
仕掛け本体下部に猿環を配備し、魚を釣り上げる際に釣り糸の撚りを防止し、掛け針の釣り糸の交換を可能にしたエビ餌用フグ仕掛け。
【考案の詳細な説明】
【技術分野】
【０００１】
本考案は主としてエビ餌によるフグ釣り用仕掛に関するものである。
【背景技術】
【０００２】
従来のエビ餌によるフグのカットウ釣りに使用される仕掛は、フットボール型をした、ナツメ型錘と呼ばれる錘の下方部から上方部に、二本の折り返した釣り糸を通し、その折り返し部が、錘上部に約１センチ位出した辺りで止め、錘下部に出ている二本の釣り糸のうち一本は錘下部に接する辺りで、エビ餌用のテンヤ針或いは太刀魚針を結び、もう一本の釣り糸は錘下部より約１０センチから１５センチの辺りで、錨状の掛け針と結ぶ構成となっている。
【０００３】
このような仕掛けの場合、フグがエビ餌をついばんだ瞬間を見極めて、釣竿の竿先を上部へ跳ね上げて合わせるわけだが、従来の仕掛けだと、餌針の役割はエビ餌（赤エビ或いは甘エビ）を１匹丸ごと或いは数匹つけてフグを寄せるための集魚の目的で、その下の掛け針は、その寄ってきたフグをその錨状のカットウ針で掛ける役割となっている。
【先行技術文献】
【特許文献】
【０００４】
【特許文献１】特許公開  ２００７−２５２２６３
【非特許文献】
【０００５】
【非特許文献１】大塚貴汪著  「沖釣り応援団」
【考案の概要】
【考案が解決しようとする課題】
【０００６】
解決しようとする問題点は、このように従来の仕掛けにおいて餌針は魚を掛ける目的では無く、その下部の掛け針のみが魚を捕らえる道具である為、釣り人はかなりの熟練が必要である。この仕掛けは仕掛け本体を海底に横たわらせてアタリを待つ方法で使用されるが、エビ餌が海底にある時、エビ餌と掛け針と一直線上にあり、更にフグが掛け針の後方から接近し、エビ餌を喰った時であれば掛け針にかかる確率は高くなるが、常にそうでは無いことが欠点である。
【０００７】
そこでこの考案の餌針はただ単にエビ餌をつけてフグを寄せるためだけの役割だけで無く、餌を喰いに寄ってきたフグが餌をついばんだ瞬間にその針に掛かる用にしたこと。また掛け損じた場合でも、その下部にある掛け針に掛かる可能性を持たせたことである。
【０００８】
更にフグは歯が強靱な為、この考案に使用する餌針は、餌針が切られたとしても即座にその針を交換できるようにハリス止めを使用した。
【０００９】
また従来の仕掛けでは、一旦掛け針に掛かったフグはその釣り糸を切ろうと釣り糸を噛んで抵抗する為、釣り糸は損傷が激しく本体からつながるすべての釣り糸を交換しなければならなかったが、この発明では本体の釣り糸と掛け針の釣り糸との間に猿環を配置することで釣り糸のシステムをを２つのパートに分けた。こうすることで掛け針の釣り糸も簡単に交換できるようにした。またフグが掛け針に掛かり、水面まで釣り上げる際に魚が回転し、釣り糸が撚れて掛け針がフグから外れてしまう事が無いようにする為にもこの猿環は有効である。
【００１０】
このように従来の餌針を喰わせ針（フグ専用喰わせ針或い海津型針）にすることで、フグを寄せるための餌針の役割から、フグを掛ける為の針に交換したことで、フグを釣り上げるのに効果的であること、更に仕掛けをに手を加えることで喰わせ針や掛け針の交換を容易にし、アタリが集中する頃合いをを逃さない工夫をすることで釣果の向上を目的とするものである。
【課題を解決するための手段】
【００１１】
この考案にかかるエビ餌にによるフグ釣り仕掛けは、数個の集魚効果のあると云われるビーズ玉と中通し錘と数個のハリス止めを配置したスプリットリングとから成る。このハリス止めに、釣り糸を結んだ喰わせ針に約１センチくらいに刻んだエビ餌を付けることで、フグが餌をついばんだ時に竿を跳ね上げることで、その釣り鉤に掛かることとなる。また失敗した場合でもその下の掛け針に掛かる可能性も残されていることで、上記の課題を解決しようとするものである。
【考案の効果】
【００１２】
この考案にかかる釣り用仕掛けは、錘下にスプリットリングと数個のハリス止めを配置してある。
【００１３】
フグは歯が強靱な為しばしば釣り糸が切られることがある。その為喰わせ針の釣り糸はハリス止めに挟んで装着してある。これにより釣り糸が切られても、迅速にその交換を可能にした。更にスプリットリングを用いることで、ハリス止めの数や喰わせ針の数も釣り人の好みに合わせて増減も可能としている。
【００１４】
また掛け針用釣り糸もフグは掛け針に掛かった後、逃げようとする為に掛け針用釣り糸を囓ることが多々ある。その場合の掛け針用釣り糸の交換もその上部の猿環を配置することで釣り糸の交換を可能にしている。
【図面の簡単な説明】
【００１５】
【図１】仕掛け本体を示す正面図である。
【図２】仕掛け本体の錘とビーズ玉の構成を示す一部断面図である。
【図３】仕掛け使用時における掛け針を配置した正面図である。
【考案を実施するための形態】
【００１６】
以下、本考案を具体化した実施形態を図面に基づいて説明する。
【００１７】
仕掛け本体１は、釣り糸８をビーズ玉１１、１２、１３と錘２の貫通孔３に通し、さらにハリス止め５を配備したスプリットリング４に通し、その上下両端を猿環１４、１５にに結んだシステムから成る。
【００１８】
まず猿環１４が錘２の下方になる様な状態にして、釣り糸８を集魚用ビーズ玉１１に通し、その上部に配置するスプリットリング４が落下するのを防ぎ、事前に好みの数のハリス止め（３本以上が好ましい）を配備したスプリットリング４に通し、更に上部の錘２とスプリットリングが直接あたらないようにビーズ玉１２に通す。このビーズ玉（１１及び１２）はスプリットリングの動きをよくして、魚を誘うのに効果的である。
【００１９】
続いて、錘２の貫通孔３に釣り糸８を通してビーズ玉１３に通した後、猿環１５で結び止める。ビーズ玉１３は集魚効果の目的もあるが、錘２は鉛のため、猿環１５とぶつかりあって貫通孔３が損傷するのを防止する効果がある。
【００２０】
この考案にかかる仕掛け本体は上記の様な構成となっており、その使用に際しては猿環１４に掛け針９に結んだ釣り糸１０を結びつけ、釣り竿から延出した道糸を猿環１５に結びつけた後、ハリス止め５に接続されている釣り糸６とその先に結んだ釣り針（喰わせ針）７にそれぞれエビ餌を付け、海中に投入し、海底に錘２が着底したのを確認したあと、釣り針（喰わせ針）７に喰いついたフグのアタリを見計らって竿先を上部に素早く跳ね上げて合わせ、釣り針（喰わせ針）７或いは掛け針９をフグの魚体に掛けて釣り上げるという要領で行うものである。
【符号の説明】
【００２１】
１  仕掛け本体
２  錘
３  貫通孔
４  スプリットリング
５  ハリス止め
６  釣り糸
７  釣り針（喰わせ針）
８  釣り糸
９  掛け針
１０  釣り糸
１１  ビーズ玉
１２  ビーズ玉
１３  ビーズ玉
１４  猿環
１５  猿環
【図１】
0003154082.tif 000003
【図２】
0003154082.tif 000004
【図３】
0003154082.tif 000005
【手続補正書】
【提出日】平成21年7月22日(2009.7.22)
【手続補正１】
【補正対象書類名】実用新案登録請求の範囲
【補正対象項目名】請求項２
【補正方法】変更
【補正の内容】
【請求項２】
前記の喰わせ針の釣り糸を、スプリットリングに配した複数のハリス止めによって留め、切れた際でも迅速な交換ができることを特徴とする請求項１記載のエビ餌用フグ仕掛け。
【手続補正２】
【補正対象書類名】実用新案登録請求の範囲
【補正対象項目名】請求項３
【補正方法】変更
【補正の内容】
【請求項３】
仕掛け本体下部に猿環を配備し、魚を釣り上げる際に釣り糸の撚りを防止し、掛け針の釣り糸の交換ができることを特徴とする請求項１記載のエビ餌用フグ仕掛け。